(57)【要約】【課題】モードフィールド径が異なる２つの光導波路間の結合効率を向上させる。【解決手段】レンズ構造体１００は、光源側の屈折面１０１とこの屈折面１０１と向かい合う出射側の屈折面１０２とを有する、両面非対称非球面形状の微小レンズ部１０５と、光軸ＯＡと垂直な方向の微小レンズ部１０５の両端部と接合するように形成されたマーカー部１０７，１０８とを備える。【選択図】  図１
2020134618.tif 000002
【特許請求の範囲】
【請求項１】
光源側の第１の屈折面とこの第１の屈折面と向かい合う出射側の第２の屈折面とを有するレンズ部を備え、
光伝搬方向の座標をｚ、前記レンズ部の光軸と垂直な高さ方向の座標をｙ、前記高さ方向のレンズ部の大きさをＤ、所定の原点から前記第１の屈折面の端部までの前記光伝搬方向の距離をｌa、前記第１の屈折面の端部から前記第２の屈折面の端部までの前記光伝搬方向の距離をｔ、前記第１の屈折面の前記高さ方向の半径をｒa1、前記第１の屈折面の前記光伝搬方向の半径をｒb1、前記第２の屈折面の前記高さ方向の半径をｒa2、前記第２の屈折面の前記光伝搬方向の半径をｒb2としたとき、
前記第１の屈折面は、
【数１】
2020134618.tif 000013
を満たし、
前記第２の屈折面は、
【数２】
2020134618.tif 000014
を満たすことを特徴とするレンズ構造体。
【請求項２】
請求項１記載のレンズ構造体において、
前記光軸と垂直な方向の前記レンズ部の両端部のうち少なくとも一方と接合するように形成されたマーカー部をさらに備えることを特徴とするレンズ構造体。
【請求項３】
請求項２記載のレンズ構造体において、
前記マーカー部の少なくとも一部に造影剤が塗布されていることを特徴とするレンズ構造体。
【請求項４】
請求項１乃至３のいずれか１項に記載のレンズ構造体において、
基板と、
前記基板上に形成され、前記レンズ部が前記基板の上に離間して配置されるように前記レンズ部を支える支持体とをさらに備えることを特徴とするレンズ構造体。
【請求項５】
第１の導波路と、
この第１の導波路からの光を受光する第２の導波路と、
前記第１の導波路の出射面と前記第２の導波路の入射面との間に配置された、請求項４記載のレンズ構造体とを備え、
前記レンズ構造体の基板の一方の端面は前記第１の導波路の出射端面と接し、前記基板の他方の端面は前記第２の導波路の入射端面と接することを特徴とする光接続構造。
【請求項６】
請求項５記載の光接続構造において、
前記第２の導波路は、前記第１の導波路より大きなモードフィールド径を有することを特徴とする光接続構造。
【請求項７】
請求項５または６記載の光接続構造において、
前記第１の導波路と前記第２の導波路のうちの少なくとも一方と、前記レンズ構造体のレンズ部との間に充填された、前記レンズ部の屈折率よりも小さい屈折率を有する光透過性の部材をさらに備えることを特徴とする光接続構造。
【請求項８】
請求項７記載の光接続構造において、
前記光透過性の部材は、樹脂接着剤であることを特徴とする光接続構造。
【発明の詳細な説明】
【技術分野】
【０００１】
本発明は、異なるモードフィールド径を有する光導波路間を結合するためのレンズ構造体及び光接続構造に関するものである。
【背景技術】
【０００２】
シリコン（Ｓｉ）基板上に光電子デバイスを一括して集積するＳｉフォトニクスが注目されている。このＳｉフォトニクスにおいては、光電子デバイスを構成するＳｉ導波路と光ファイバとのモードフィールドを高効率に結合する光接続技術が求められている。Ｓｉ導波路と光ファイバのそれぞれのモードフィールド径が大きく異なるため、テーパ構造やグレーティング構造等の、モードフィールドを変換する構造がＳｉ導波路に形成される（非特許文献１参照）。
【０００３】
しかしながら、Ｓｉ導波路に形成されたＳＳＣ（Spot-Size Conventer）などのモードフィールド変換構造の作製ばらつき等により、Ｓｉ導波路のモードフィールドが光ファイバのモードフィールドと十分に結合しない場合がある。Ｓｉ導波路を出射した光波は、光軸から離れる方向に進行する放射モードを含み、結果としてファイバとの結合効率が劣化する。
【０００４】
図２１の（ａ）は不完全な変換構造を有する従来の光接続構造の断面図、図２１の（ｂ）は従来の光接続構造の規格化電力分布｜Ｅ｜2を示す図である（Ｅは電界）。図２１の（ａ）の光接続構造は、Ｓｉ導波路３００の端面と光ファイバ３０１の端面とを突き合わせて接着剤３０２により接着したものである。図２１の（ａ）の例では、Ｓｉ導波路３００と光ファイバ３０１の間隔を５μｍとしている。接着剤３０２は、Ｓｉ導波路３００と光ファイバ３０１の屈折率を整合させる役割を果たしている。図２１のｚ軸方向は光の伝搬方向、ｙ軸方向はｚ軸方向と垂直な方向であり、導波路の厚さ方向である。
【０００５】
図２２は、図２１の光接続構造のファイバ面内の代表モードを示す図である。図２２の３０３は参照面のｚ座標ｚｒｅｆ＝６４μｍにおける伝搬モードの光強度分布を示し、３０４はｚｒｅｆ＝６４μｍにおける０次固有モードの光強度分布を示している。
図２３は、図２１の光接続構造の結合効率の参照面位置依存性を示す図である。ここでは、参照面のｚ座標ｚｒｅｆを、ファイバ端面近傍から光伝搬方向に沿って掃引している。
【０００６】
図２３によると、ファイバ端面（ｚｒｅｆが凡そ２２μｍの位置）から光伝搬方向に約５０μｍ離れた位置（ｚｒｅｆ＝７０μｍ）迄の範囲において、Ｓｉ導波路３００と光ファイバ３０１との結合効率が−４ｄＢから−３ｄＢ程度であり、結合効率が劣化していることが分かる。
【先行技術文献】
【非特許文献】
【０００７】
【非特許文献１】Yin Xiaojie，Wu Yuanda，Hu Xiongwei，“Design and Simulation Analysis of Spot-Size Converter in Silicon-On-Insulator”，CLEO/Pacific Rim 2009
【発明の概要】
【発明が解決しようとする課題】
【０００８】
本発明は、上記課題を解決するためになされたもので、モードフィールド径が異なる２つの光導波路間の結合効率を向上させることができるレンズ構造体及び光接続構造を提供することを目的とする。
【課題を解決するための手段】
【０００９】
本発明のレンズ構造体は、光源側の第１の屈折面とこの第１の屈折面と向かい合う出射側の第２の屈折面とを有するレンズ部を備え、光伝搬方向の座標をｚ、前記レンズ部の光軸と垂直な高さ方向の座標をｙ、前記高さ方向のレンズ部の大きさをＤ、所定の原点から前記第１の屈折面の端部までの前記光伝搬方向の距離をｌa、前記第１の屈折面の端部から前記第２の屈折面の端部までの前記光伝搬方向の距離をｔ、前記第１の屈折面の前記高さ方向の半径をｒa1、前記第１の屈折面の前記光伝搬方向の半径をｒb1、前記第２の屈折面の前記高さ方向の半径をｒa2、前記第２の屈折面の前記光伝搬方向の半径をｒb2としたとき、
前記第１の屈折面は、
【数１】
2020134618.tif 000003
を満たし、
前記第２の屈折面は、
【数２】
2020134618.tif 000004
を満たすことを特徴とするものである。
【００１０】
また、本発明のレンズ構造体の１構成例は、前記光軸と垂直な方向の前記レンズ部の両端部のうち少なくとも一方と接合するように形成されたマーカー部をさらに備えることを特徴とするものである。
また、本発明のレンズ構造体の１構成例は、前記マーカー部の少なくとも一部に造影剤が塗布されていることを特徴とするものである。
また、本発明のレンズ構造体の１構成例は、基板と、前記基板上に形成され、前記レンズ部が前記基板の上に離間して配置されるように前記レンズ部を支える支持体とをさらに備えることを特徴とするものである。
【００１１】
また、本発明の光接続構造は、第１の導波路と、この第１の導波路からの光を受光する第２の導波路と、前記第１の導波路の出射面と前記第２の導波路の入射面との間に配置されたレンズ構造体とを備え、前記レンズ構造体の基板の一方の端面は前記第１の導波路の出射端面と接し、前記基板の他方の端面は前記第２の導波路の入射端面と接することを特徴とするものである。
また、本発明の光接続構造の１構成例において、前記第２の導波路は、前記第１の導波路より大きなモードフィールド径を有する。
また、本発明の光接続構造の１構成例は、前記第１の導波路と前記第２の導波路のうちの少なくとも一方と、前記レンズ構造体のレンズ部との間に充填された、前記レンズ部の屈折率よりも小さい屈折率を有する光透過性の部材をさらに備えることを特徴とするものである。
また、本発明の光接続構造の１構成例において、前記光透過性の部材は、樹脂接着剤である。
【発明の効果】
【００１２】
本発明によれば、レンズ部を両面非対称非球面形状とすることにより、このレンズ部を備えたレンズ構造体を光接続構造に適用した場合に、従来の光接続構造と比較して、モードフィールド径が異なる２つの光導波路間の結合効率を向上させることができる。本発明では、光接続構造にレンズ構造体を適用した場合に、光源側の導波路の不完全なモードフィールド変換器を補償することができる。また、本発明では、レンズ構造体の球面収差を改善することができ、さらにレンズ枚数を低減して光学系サイズを低減することができる。
【００１３】
また、本発明では、光軸と垂直な方向のレンズ部の両端部のうち少なくとも一方と接合するようにマーカー部を設け、そのマーカー部の少なくとも一部に造影剤を塗布することにより、レンズ部の位置を検出することが可能となる。
【００１４】
また、本発明では、レンズ構造体の構成として基板と支持体とを設けることにより、導波路の間隙中にレンズ部を固定することが可能となる。
【００１５】
また、本発明では、第１の導波路と第２の導波路のうちの少なくとも一方と、レンズ構造体のレンズ部との間に充填された、レンズ部の屈折率よりも小さい屈折率を有する光透過性の部材を設けることにより、第１の導波路と第２の導波路のうちの少なくとも一方と、レンズ部との間の反射率を低減することができる。
【図面の簡単な説明】
【００１６】
【図１】図１は、本発明の第１の実施例に係るレンズ構造体の形状を示す断面図である。
【図２】図２は、本発明の第１の実施例に係るレンズ構造体にコリメート光を入射させた場合の光線追跡計算結果を示す図である。
【図３】図３は、本発明の第１の実施例に係るレンズ構造体の球面収差のコリメート光高さ依存性を示す図である。
【図４】図４は、本発明の第１の実施例におけるファイバ側開口数の光源側開口数依存性を示す図である。
【図５】図５は、本発明の第２の実施例に係るレンズ構造体の形状を示す断面図である。
【図６】図６は、本発明の第２の実施例に係るレンズ構造体にコリメート光を入射させた場合の光線追跡計算結果を示す図である。
【図７】図７は、本発明の第２の実施例に係るレンズ構造体の球面収差のコリメート光高さ依存性を示す図である。
【図８】図８は、本発明の第２の実施例におけるファイバ側開口数の光源側開口数依存性を示す図である。
【図９】図９は、本発明の第１、第２の実施例に係るレンズ構造体の別の形状を示す断面図である。
【図１０】図１０は、本発明の第３の実施例に係る光接続構造の断面図である。
【図１１】図１１は、本発明の第３の実施例に係る別の光接続構造の断面図である。
【図１２】図１２は、本発明の第３の実施例に係る別の光接続構造の断面図である。
【図１３】図１３は、本発明の第３の実施例に係る別の光接続構造の断面図である。
【図１４】図１４は、本発明の第３の実施例に係る光接続構造の断面図および光接続構造の規格化電力分布を示す図である。
【図１５】図１５は、図１４の光接続構造のファイバ面内の代表モードを示す図である。
【図１６】図１６は、図１４の光接続構造の結合効率の参照面位置依存性を示す図である。
【図１７】図１７は、本発明の第３の実施例に係る光接続構造の断面図および光接続構造の規格化電力分布を示す図である。
【図１８】図１８は、図１７の光接続構造のファイバ面内の代表モードを示す図である。
【図１９】図１９は、図１７の光接続構造の結合効率の参照面位置依存性を示す図である。
【図２０】図２０は、本発明の第３の実施例に係るアレイ構造の光接続構造の平面図である。
【図２１】図２１は、従来の光接続構造の断面図および光接続構造の規格化電力分布を示す図である。
【図２２】図２２は、図２１の光接続構造のファイバ面内の代表モードを示す図である。
【図２３】図２３は、図２１の光接続構造の結合効率の参照面位置依存性を示す図である。
【発明を実施するための形態】
【００１７】
［発明の概要］
本発明では、モードフィールド径が異なる２つの光導波路の間隙内に、導波路接続間距離を短くする両面非対称非球面形状のレンズ部と、そのレンズ部を固定するための支持体と、基板とを備えたレンズ構造体を形成する。レンズ部と支持体とは、光硬化性樹脂から形成される。さらに、レンズ構造体は、レンズ部の位置を検出するためのマーカー部を有する。
【００１８】
［第１の実施例］
以下、本発明の実施例について図面を参照して説明する。図１は、本発明の第１の実施例に係るレンズ構造体の形状を示す断面図である。図１では、レンズ構造体１００の形状を直交座標系において定義しており、光の伝搬方向をｚ軸方向、ｚ軸方向と直交する面をｘｙ面とする。光源の座標を原点Ｏ、レンズ構造体１００の光軸をＯＡとする。また図中においてｙ軸の正の方向を上方向、負の方向を下方向（鉛直方向）と定義する。図１のＳは導波路出射面を示す。
【００１９】
レンズ構造体１００は、光源側の屈折面１０１（レンズ面）とこの屈折面１０１と向かい合う出射側の屈折面１０２（レンズ面）とを有する微小レンズ部１０５と、光軸ＯＡと垂直な高さ方向の微小レンズ部１０５の両端部（本実施例では上下端部）と接合するように形成されたマーカー部１０７，１０８とから構成される。屈折面１０１は、光源側に向かって凸の形状をしており、屈折面１０２は、光の伝搬方向に向かって凸の形状をしている。
【００２０】
レンズ構造体１００の微小レンズ部１０５は集光に寄与するが、マーカー部１０７，１０８は集光に寄与しない。すなわち、マーカー部１０７の、光軸ＯＡと垂直な面１０６ａ，１０６ｂ、およびマーカー部１０８の、光軸ＯＡと垂直な面１０３ａ，１０３ｂは、非屈折面となっている。
【００２１】
微小レンズ部１０５とマーカー部１０７，１０８との接合部のｚ軸方向の長さはｔである。微小レンズ部１０５とマーカー部１０７，１０８とは、光硬化性樹脂材料から形成される。
【００２２】
微小レンズ部１０５の屈折面１０１は、式（１−１）〜式（１−４）の条件式を満たすことが望ましい。
【００２３】
【数３】
2020134618.tif 000005
【００２４】
【数４】
2020134618.tif 000006
【００２５】
【数５】
2020134618.tif 000007
【００２６】
【数６】
2020134618.tif 000008
【００２７】
また、微小レンズ部１０５の屈折面１０２は、式（２−１）〜式（２−４）の条件式を満たすことが望ましい。
【００２８】
【数７】
2020134618.tif 000009
【００２９】
【数８】
2020134618.tif 000010
【００３０】
【数９】
2020134618.tif 000011
【００３１】
【数１０】
2020134618.tif 000012
【００３２】
ｚは光伝搬方向の座標、ｙは光軸ＯＡと垂直な高さ方向の座標である。また、Ｄは微小レンズ部１０５のｙ軸方向の大きさ（高さ）であり、ｌaはレンズ構造体１００の作動距離を決定する変数であり、原点Ｏから屈折面１０１の端部までのｚ軸方向の距離である。ｔは屈折面１０１の端部から屈折面１０２の端部までのｚ軸方向の距離である。
【００３３】
屈折面１０１と屈折面１０２は、式（１−１）〜式（１−４）、式（２−１）〜式（２−４）においてパラメータ範囲を指定したように、非対称な非球面関数で表される。ｒa1は屈折面１０１（楕円面）のｙ軸方向の半径、ｒb1は屈折面１０１のｚ軸方向の半径である。また、ｒa2は屈折面１０２（楕円面）のｙ軸方向の半径、ｒb2は屈折面１０２のｚ軸方向の半径である。
【００３４】
微小レンズ部１０５は、光軸ＯＡに対して回転対称な形態を基本形とするが、光源のモードフィールド形状の面内非対称性に応じて、ｘ方向の半径とｙ方向の半径が異なる形態であっても構わない。
【００３５】
レンズ構造体１００における形状関数（式（１−１）〜式（１−４）、式（２−１）〜式（２−４））において、パラメータは例えば下記のとおりである。まず、屈折面１０１については、Ｄ＝７０μｍ、ｒa1＝１２５μｍ、ｒb1＝４６７μｍ、ｌa＝６８μｍである。屈折面１０２については、Ｄ＝７０μｍ、ｒa2＝１４０μｍ、ｒb2＝２８０μｍ、ｔ＝１５μｍである。
【００３６】
図２は、レンズ構造体１００にコリメート光を入射させた場合の光線追跡計算結果を示す図である。ここでは、コリメート光の、光軸ＯＡからのｙ軸方向の高さを０〜２０μｍとしている。光線追跡結果Ａが示す、レンズ構造体１００の焦点のＺ軸方向の位置は１２５μｍ近傍である。
【００３７】
図３は、図２の光線追跡計算結果を基に算出した、レンズ構造体１００の球面収差のコリメート光高さ（光源のモードフィールド半径に相当）依存性を示す図である。図３において、横軸は光軸ＯＡを０μｍとしたときのコリメート光のｙ軸方向の高さ、縦軸はレンズ構造体１００の球面収差を示す。
【００３８】
図４は、図２の光線追跡計算結果を基に算出した、ファイバ側開口数の光源側開口数依存性を示す図である。図４において、横軸は光源側開口数、縦軸はファイバ側開口数を示す。
このように、本実施例のレンズ構造体１００では、同径のボールレンズと比較して、球面収差および光源側開口数許容範囲を改善することができる。
【００３９】
本実施例では、下記の実施例で説明するように、光接続構造にレンズ構造体１００を適用した場合に、図２１の（ａ）に示した従来の光接続構造と比較して、結合効率を改善することができる。本実施例では、光接続構造にレンズ構造体１００を適用した場合に、光源側の導波路の不完全なモードフィールド変換器（ＭＦＣ：Mode-Field Converter）を補償することができる。
【００４０】
また、本実施例では、レンズ構造体１００の球面収差を改善することができる。さらに、本実施例では、レンズ構造体１００の両面非対称非球面形状によりレンズ枚数を低減することができる。その結果、本実施例では、ＭＦＣが無いレンズ結合系と比較して、光学系サイズを低減することができる。
【００４１】
［第２の実施例］
次に、本発明の第２の実施例について説明する。図５は、本発明の第２の実施例に係るレンズ構造体の形状を示す断面図である。本実施例のレンズ構造体２００は、レンズ構造体１００と同様に、光源側に向かって凸の屈折面２０１（レンズ面）と光の伝搬方向に向かって凸の屈折面２０２（レンズ面）とを有する微小レンズ部２０５と、光軸ＯＡと垂直な方向の微小レンズ部１０５の両端部（本実施例では上下端部）と接合するように形成されたマーカー部２０７，２０８とから構成される。
【００４２】
レンズ構造体１００と同様に、微小レンズ部２０５は集光に寄与するが、マーカー部２０７，２０８は集光に寄与しない。すなわち、マーカー部２０７の、光軸ＯＡと垂直な面２０６ａ，２０６ｂ、およびマーカー部２０８の、光軸ＯＡと垂直な面２０３ａ，２０３ｂは、非屈折面となっている。レンズ構造体１００と同様に、微小レンズ部２０５とマーカー部２０７，１０８とは、光硬化性樹脂材料から形成される。
【００４３】
屈折面１０１と同様に、屈折面２０１は、式（１−１）〜式（１−４）の条件式を満たす。屈折面１０２と同様に、屈折面２０２は、式（２−１）〜式（２−４）の条件式を満たす。
【００４４】
レンズ構造体２００における形状関数（式（１−１）〜式（１−４）、式（２−１）〜式（２−４））において、パラメータは例えば下記のとおりである。まず、屈折面２０１については、Ｄ＝５３μｍ、ｒa1＝９４μｍ、ｒb1＝３５３μｍ、ｌa＝５２μｍである。屈折面２０２については、Ｄ＝５３μｍ、ｒa2＝１０６μｍ、ｒb2＝２１２μｍ、ｔ＝１５μｍである。
屈折面２０１は、微小レンズ部２０５の屈折率よりも小さい屈折率の材料からなる接着層２０４（光透過性の部材）と接している。
【００４５】
図６は、レンズ構造体２００にコリメート光を入射させた場合の光線追跡計算結果を示す図である。ここでは、コリメート光の、光軸ＯＡからのｙ軸方向の高さを０〜１５μｍとしている。光線追跡結果Ｂが示す、レンズ構造体２００の焦点のＺ軸方向の位置は１００μｍ近傍である。
【００４６】
図７は、図６の光線追跡計算結果を基に算出した、レンズ構造体２００の球面収差のコリメート光高さ（光源のモードフィールド半径に相当）依存性を示す図である。図７において、横軸は光軸ＯＡを０μｍとしたときのコリメート光のｙ軸方向の高さ、縦軸はレンズ構造体２００の球面収差を示す。
【００４７】
図８は、図６の光線追跡計算結果を基に算出した、ファイバ側開口数の光源側開口数依存性を示す図である。図８において、横軸は光源側開口数、縦軸はファイバ側開口数を示す。
第１の実施例と同様に、本実施例のレンズ構造体２００では、同径のボールレンズと比較して、球面収差および光源側開口数許容範囲を改善することができる。
【００４８】
また、本実施例では、屈折面２０１と接する接着層２０４を設けることにより、光接続構造にレンズ構造体２００を適用した場合に、光源側の導波路とレンズ構造体２００との間に接着層２０４が配置されることになり、光源側の導波路とレンズ構造体２００と間の反射率を低減することができる。
【００４９】
図５の例では、屈折面２０１と接する接着層２０４を設けているが、後述のように微小レンズ部２０５の全体を覆うように接着層を設けてもよいし、屈折面２０２と接する接着層を設けてもよい。
【００５０】
なお、第１、第２の実施例のレンズ構造体１００，２００において、マーカー部１０７，１０８，２０７，２０８の表面の一部に造影剤を塗布すれば、微小レンズ部１０５，２０５の位置を、コンピュータ断層撮影（ＣＴ：Computed Tomography）や磁気共鳴画像（ＭＲＩ：Magnetic Resonance Imaging）によって検出することができる。その結果、熱衝撃が大きい（急激な温度変化がある）環境や湿熱環境等の負荷環境に設置した後のレンズ構造体１００，２００の位置ずれを評価することができる。
【００５１】
ただし、マーカー部１０７，１０８，２０７，２０８は、本発明において必須の構成要件ではない。マーカー部１０７，１０８，２０７，２０８を設けない場合のレンズ構造体１００ａの断面図を図９に示す。
【００５２】
また、第１の実施例では、光軸ＯＡと垂直な方向の微小レンズ部１０５の両端部にマーカー部１０７，１０８を設けているが、微小レンズ部１０５の両端部のうちどちらか一方のみにマーカー部を設けるようにしてもよい。同様に、第２の実施例において、光軸ＯＡと垂直な方向の微小レンズ部２０５の両端部にマーカー部２０７，２０８を設けているが、微小レンズ部２０５の両端部のうちどちらか一方のみにマーカー部を設けるようにしてもよい。
【００５３】
［第３の実施例］
次に、本発明の第３の実施例について説明する。第１、第２の実施例で説明したレンズ構造体１００，１００ａ，２００は、基本的には、半導体ＬＤ（Laser Diode）光源からの導波光を伝搬する第１の導波路と、第１の導波路より大きなモードフィールド径を有する第２の導波路とを結合する光接続構造に適用される。第１の導波路としては、ＳｉをコアとするＳｉ導波路や、ＩｎＰ系等の化合物半導体をコアとする導波路を用いる。第２の導波路としては、主に石英系ファイバを用いる。
【００５４】
図１０は、第１の実施例のレンズ構造体が配置される光接続構造９０１の断面図である。光接続構造９０１は、第１の導波路３と、第２の導波路４と、第１の導波路３と第２の導波路４との間に配設されたレンズ構造体１とから構成される。
【００５５】
レンズ構造体１は、第１の実施例で説明した微小レンズ部１０５と、第１の導波路３の出射端面と第２の導波路４の入射端面間に配置された基板６と、微小レンズ部１０５が基板６の上に離間して配置されるように微小レンズ部１０５（または微小レンズ部１０５に設けられるマーカー部）を支える支持体２とから構成される。
【００５６】
基板６の端面は、第１の導波路３と第２の導波路４のそれぞれの端面と密着している。基板６の固定には、例えば接着剤が使用される。つまり、基板６の一方の端面は第１の導波路３の出射端面と接着され、基板６の他方の端面は第２の導波路４の入射端面と接着されている。基板６としては、高さ方向の精度をサブミクロンオーダーで制御できる材料が望ましい。このような基板６の材料としては、例えばＳｉ基板があるが、精度に応じてガラス基板を用いても構わない。
【００５７】
この基板６を造形基板として、光造形装置によって、支持体２と微小レンズ部１０５とを基板６上に順に形成する。支持体２は、微小レンズ部１０５と同様に光硬化性樹脂材料から形成される。支持体２は、微小レンズ部１０５を強固に固定するため、基板６に近づくに従って断面積が増加する錐台の形状を有することが望ましい。第１の導波路３と第２の導波路４との間の、微小レンズ部１０５の周囲の空間には、空気や不活性ガスを充填する。
【００５８】
本実施例の光接続構造の別の例を図１１〜図１３に示す。図１１は、レンズ構造体と第１の導波路３との間に樹脂接着剤５（光透過性の部材であり、第２の実施例の接着層２０４）を充填した光接続構造９０２の断面図である。図１２は、第１の導波路３と第２の導波路４との間の、微小レンズ部１０５の周囲の空間に樹脂接着剤５を充填した光接続構造９０３の断面図である。図１３は、レンズ構造体と第２の導波路４との間に樹脂接着剤５を充填した光接続構造９０４の断面図である。
【００５９】
図１１〜図１３のレンズ構造体１ａ，１ｂ，１ｃは、それぞれ第２の実施例で説明した微小レンズ部２０５と、基板６と、微小レンズ部２０５（または微小レンズ部２０５に設けられるマーカー部）を支える支持体２とから構成される。
【００６０】
第２の実施例で説明したとおり、樹脂接着剤５の屈折率は、微小レンズ部２０５の屈折率よりも小さい。微小レンズ部２０５の屈折率と樹脂接着剤５の屈折率との差が小さくなるに従い、第１の導波路３と第２の導波路４の接続間距離を長くとる必要がある。
【００６１】
なお、レンズ構造体１，１ａ〜１ｃの設計に際して、第１、第２の実施例で説明した原点Ｏは、第１の導波路３中の光軸ＯＡ上の任意の点に設定すればよい。
【００６２】
また、図１０〜図１３では、マーカー部１０７，１０８，２０７，２０８を記載していないが、第１、第２の実施例で説明したとおり微小レンズ部１０５，２０５にマーカー部１０７，１０８，２０７，２０８を形成してもよいことは言うまでもない。
【００６３】
また、微小レンズ部１０５，２０５を直接、支持体２によって固定するのではなく、マーカー部１０８，２０８（またはマーカー部１０７，２０７）が支持体２と一体になるように形成することで、微小レンズ部１０５，２０５を固定してもよい。
【００６４】
図１４の（ａ）は本実施例の光接続構造９０１の断面図（図１０に相当）、図１４の（ｂ）は光接続構造９０１の規格化電力分布｜Ｅ｜2を示す図である（Ｅは電界）。図１４の例では、第１の導波路３を埋め込み型Ｓｉ導波路とし、第２の導波路４を石英系ファイバとしている。第１の導波路３からの出射光において、その０次モードのモードフィールド直径を４μｍとし、第２の導波路４（石英系ファイバ）のコアの直径を１０μｍとしている。
【００６５】
また、第１の導波路３からの出射光が、開口数に換算して０．３程度以下の複数の放射モードを含むことを許容している。レンズ構造体１には、第１の実施例で用いたパラメータを適用している。第１の導波路３と第２の導波路４との間の、微小レンズ部１０５の周囲の空間には、空気（屈折率１．０）が充填されている。伝搬波長は、１．５５μｍである。
【００６６】
図１５は、図１４の（ｂ）の導波分布を基に算出した、光接続構造９０１のファイバ面内の代表モードを示す図である。図１５の９０５は参照面のｚ座標ｚｒｅｆ＝２９２μｍにおける伝搬モードの光強度分布を示し、９０６はｚｒｅｆ＝２９２μｍにおける０次固有モードの光強度分布を示している。
【００６７】
図１６は、図１４の（ｂ）の導波分布を基に算出した、光接続構造９０１の結合効率の参照面位置依存性を示す図である。ここでは、参照面のｚ座標ｚｒｅｆを、ファイバ端面近傍から光伝搬方向に沿って掃引している。
【００６８】
図１６によると、ファイバ端面の近傍（ｚｒｅｆが２５０μｍの位置）から光伝搬方向に約５０μｍ離れた位置（ｚｒｅｆ＝３００μｍ）迄の範囲において、第１の導波路３と第２の導波路４との結合効率が−０．５ｄＢ以上であることが分かる。本実施例の光接続構造９０１によれば、図２１の（ａ）に示した従来の光接続構造と比較して、第２の導波路４内の伝搬における放射モードを抑制することができるので、第１の導波路３と第２の導波路４との結合効率を改善することができる。
【００６９】
図１７の（ａ）は本実施例の光接続構造９０２の断面図（図１１に相当）、図１７の（ｂ）は光接続構造９０２の規格化電力分布｜Ｅ｜2を示す図である（Ｅは電界）。図１７の例では、図１４の場合と同じく、第１の導波路３を埋め込み型Ｓｉ導波路とし、第２の導波路４を石英系ファイバとしている。レンズ構造体１ａには、第２の実施例で用いたパラメータを適用している。第１の導波路３と微小レンズ部２０５との間には、樹脂接着剤５（屈折率１．３）が充填されている。
【００７０】
図１８は、図１７の（ｂ）の導波分布を基に算出した、光接続構造９０２のファイバ面内の代表モードを示す図である。図１８の９０７は参照面のｚ座標ｚｒｅｆ＝２８５μｍにおける伝搬モードの光強度分布を示し、９０８はｚｒｅｆ＝２８５μｍにおける０次固有モードの光強度分布を示している。
【００７１】
図１９は、図１７の（ｂ）の導波分布を基に算出した、光接続構造９０２の結合効率の参照面位置依存性を示す図である。ここでは、参照面のｚ座標ｚｒｅｆを、ファイバ端面近傍から光伝搬方向に沿って掃引している。
【００７２】
図１９によると、ファイバ端面の近傍（ｚｒｅｆが２５０μｍの位置）から光伝搬方向に約５０μｍ離れた位置（ｚｒｅｆ＝３００μｍ）迄の範囲において、第１の導波路３と第２の導波路４との結合効率が−１．０ｄＢ以上であることが分かる。本実施例の光接続構造９０２では、光接続構造９０１と比較して、放射モード抑制効果と結合効率とが少し劣化する。一方、光接続構造９０２では、第１の導波路３と微小レンズ部２０５との間の樹脂接着剤５による屈折率整合化によって、第１の導波路３と微小レンズ部２０５との間の反射率を低減することができる。
【００７３】
光接続構造９０３，９０４の場合、樹脂接着剤５の充填形態が光接続構造９０１，９０２と異なるが、放射モード抑制効果と結合効率とは、図２１の（ａ）に示した従来の光接続構造よりも改善される。光接続構造９０３おいては、第１の導波路３と微小レンズ部２０５との間、および微小レンズ部２０５と第２の導波路４との間において反射率低減効果が得られる。また、光接続構造９０４おいては、微小レンズ部２０５と第２の導波路４との間において反射率低減効果が得られる。
【００７４】
以上のように、本実施例では、レンズ構造体の形状と樹脂接着剤５の充填形態によって光線追跡特性を選択可能なので、第１の導波路３のＭＦＣの不完全性に応じてレンズ構造体の特性を選択可能である。
【００７５】
なお、本実施例では、１個の第１の導波路３と１個のレンズ構造体と１個の第２の導波路４とからなる光接続構造について説明しているが、第１の導波路と第２の導波路とがそれぞれ導波路アレイである光接続構造に本発明を適用してもよい。
【００７６】
図２０は、アレイ構造の光接続構造の平面図である。図２０に示すように、導波路アレイ３ｄは、複数の第１の導波路３をｘ軸に沿って並べて配置したものである。同様に、導波路アレイ４ｄは、複数の第２の導波路４をｘ軸に沿って並べて配置したものである。
【００７７】
レンズ構造体１ｄは、複数の微小レンズ部１０５をｘ軸に沿って並べて配置したものである。微小レンズ部１０５の固定方法は本実施例で説明したとおりである。
図２０の例では、複数の微小レンズ部１０５を並べて配置しているが、複数の微小レンズ部２０５を並べて配置してもよい。そして、導波路アレイ３ｄと導波路アレイ４ｄのうちの少なくとも一方と、微小レンズ部２０５との間に樹脂接着剤５を適宜充填してもよいことは言うまでもない。
【産業上の利用可能性】
【００７８】
本発明は、異なるモードフィールド径を有する光導波路間を結合する技術に適用することができる。
【符号の説明】
【００７９】
１，１ａ〜１ｄ，１００，１００ａ，２００…レンズ構造体、２…支持体、３…第１の導波路、３ｄ，４ｄ…導波路アレイ、４…第２の導波路、５…樹脂接着剤、６…基板、１０１，１０２，２０１，２０２…屈折面、１０３ａ，１０３ｂ，１０６ａ，１０６ｂ，２０３ａ，２０３ｂ，２０６ａ，２０６ｂ…非屈折面、１０５，２０５…微小レンズ部、１０７，１０８，２０７，２０８…マーカー部、２０４…接着層、９０１〜９０４…光接続構造。
【図１】
2020134618.tif 000015
【図２】
2020134618.tif 000016
【図３】
2020134618.tif 000017
【図４】
2020134618.tif 000018
【図５】
2020134618.tif 000019
【図６】
2020134618.tif 000020
【図７】
2020134618.tif 000021
【図８】
2020134618.tif 000022
【図９】
2020134618.tif 000023
【図１０】
2020134618.tif 000024
【図１１】
2020134618.tif 000025
【図１２】
2020134618.tif 000026
【図１３】
2020134618.tif 000027
【図１４】
2020134618.tif 000028
【図１５】
2020134618.tif 000029
【図１６】
2020134618.tif 000030
【図１７】
2020134618.tif 000031
【図１８】
2020134618.tif 000032
【図１９】
2020134618.tif 000033
【図２０】
2020134618.tif 000034
【図２１】
2020134618.tif 000035
【図２２】
2020134618.tif 000036
【図２３】
2020134618.tif 000037